(57)【特許請求の範囲】
【請求項１】
自身への発呼を相手先に禁止させる通信拒否を指示する通信拒否キーと、
通信拒否を示す拒否信号を送出する拒否信号送出部と、
通信拒否の解除を指示する解除キーと、
通信拒否の解除を示す解除信号を送出する解除信号送出部と、
着呼時に前記通信拒否キーが押下された場合に前記拒否信号送出部を介して拒否信号を相手先に送出させる制御部とを備え、
前記制御部は、前記拒否信号送出部を介して拒否信号を相手先に送出させてから所定時間が経過するまでに前記解除キーが押下された場合に前記解除信号送出部を介して解除信号を相手先に送出させ、前記拒否信号送出部を介して拒否信号を相手先に送出させてから所定時間が経過するまでに前記解除キーが押下されなかった場合に回線を切断することを特徴とする通信端末装置。
【請求項２】
指定された相手先の電話番号を送出して発呼を行なう網制御部と、
発呼を禁止する相手先の電話番号を記憶する管理テーブルと、
回線を介して送出されてくる拒否信号を検出する拒否信号検出部とを備え、
前記制御部は、回線接続中に相手先から拒否信号が送出されてきたことが前記拒否信号検出部によって検出された場合に該相手先の電話番号を前記管理テーブルに記憶させ、指定された相手先の電話番号が前記管理テーブルに記憶されていると発呼時に判断した場合に前記網制御部に発呼を禁止させることを特徴とする請求項１に記載の通信端末装置。
【請求項３】
回線を介して送出されてくる解除信号を検出する解除信号検出部を備え、
前記制御部は、回線接続中に相手先から解除信号が送出されてきたことが前記解除信号検出部によって検出された場合に該相手先の電話番号を前記管理テーブルから消去させることを特徴とする請求項２に記載の通信端末装置。
【請求項４】
予め記憶された所定のメッセージを可視出力する表示部を備え、
前記制御部は、前記網制御部に発呼を禁止させる場合にその旨を示すメッセージを前記表示部を介して出力させることを特徴とする請求項２又は請求項３に記載の通信端末装置。
【請求項５】
前記制御部は、相手先の電話番号を前記管理テーブルに記憶させる際にその電話番号の記憶の有効期限も前記管理テーブルに記憶させ、電話番号の有効期限が経過した場合に前記相手先の電話番号を前記管理テーブルから消去することを特徴とする請求項２から請求項４までの何れかに記載の通信端末装置。
【発明の詳細な説明】
【０００１】
【産業上の利用分野】
本発明は、指定された相手先の電話番号を送出して発呼を行なう電話またはファクシミリ装置等の通信端末装置に係わり、特に、相手先から通信拒否信号が送出されてきた場合に直ちに回線接続の解除を実行する通信端末装置に関する。
【０００２】
【従来の技術】
従来、相手先から通信拒否信号が送出されてきた場合に直ちに回線接続の解除を実行する通信端末装置として、例えば、特開平４−２６７６６６号公報に提案されているようなものがある。
この提案の装置では、通信回線網を介してファクシミリ装置から一般電話機に誤って呼出信号が送信され、このことを知った被呼者が所定の操作を実行すると、拒否信号が発呼側のファクシミリ装置に送出される。そして、この拒否信号を受けたファクシミリ装置は電話機との回線接続を即時に解除し、電話機に対する呼出しを停止するというものである。
従って、ファクシミリ装置と誤って接続された電話機に対して繰り返して呼出信号の発信が行なわれることがなくなり、一般電話機の被呼者の被害を軽減させることができる。
【０００３】
また、この類の装置として、特開平４−１１９７４７号公報に提案されているようなものもある。
この装置は、発呼側の呼出しが通信回線網を介して電話装置の信号受信部に入力され、その後、読み取り部により発ＩＤが読み取られると、該発ＩＤが登録リストに登録されているか否かをチェックし、登録されていれば応答部を起動して、所定の応答メッセージを発呼者に送出し回線を切断するというものである。  これにより、予め受信を拒否したい発信ＩＤを登録リストに登録しておけば「いたずら電話」「無言電話」「商品勧誘」等の迷惑電話に対して、対応せずに撃退することができるようになる。
【０００４】
しかしながら、特開平４−２６７６６６号公報に提案された装置では、拒否信号を送出した相手先が受信が拒否されたことに気付かず、再度、送信指示が行なわれると、その度に、拒否信号を送出するための所定の操作を行なわなくてはならないという不具合が生じる。
また、特開平１−１１９７４７号公報に提案されているものは、着呼側ではオペレータが介在することなく受信拒否が行なわれるため上述したような不具合は生じないものの、依然として発呼側からの再送或いは別の送信は食い止められず、その度に回線が占有されてしまって他の着呼を受けられなくなってしまう。さらに、この提案の装置では、着呼を禁止する相手先の発ＩＤをどうにかして知り、この発ＩＤをマニュアル操作で登録リストに登録しなくてはならず、オペレータに大きな負担がかかるといった問題もでてくる。
【０００５】
【発明が解決しようとする課題】
本発明は、上記の問題を解決し、通信中に相手先から通信拒否信号が送出されてきた場合には、それ以降、その相手先に対する発呼が事前に禁止され得る通信端末装置を提供することを目的とする。
【０００６】
【課題を解決するための手段】
本発明は、上記目的を達成するために、自身への発呼を相手先に禁止させる通信拒否を指示する通信拒否キーと、通信拒否を示す拒否信号を送出する拒否信号送出部と、通信拒否の解除を指示する解除キーと、通信拒否の解除を示す解除信号を送出する解除信号送出部と、着呼時に前記通信拒否キーが押下された場合に前記拒否信号送出部を介して拒否信号を相手先に送出させる制御部とを備え、前記制御部は、前記拒否信号送出部を介して拒否信号を相手先に送出させてから所定時間が経過するまでに前記解除キーが押下された場合に前記解除信号送出部を介して解除信号を相手先に送出させ、前記拒否信号送出部を介して拒否信号を相手先に送出させてから所定時間が経過するまでに前記解除キーが押下されなかった場合に回線を切断することを特徴とする。
【０００７】
また、本発明は、指定された相手先の電話番号を送出して発呼を行なう網制御部と、発呼を禁止する相手先の電話番号を記憶する管理テーブルと、回線を介して送出されてくる拒否信号を検出する拒否信号検出部とを備え、前記制御部は、回線接続中に相手先から拒否信号が送出されてきたことが前記拒否信号検出部によって検出された場合に該相手先の電話番号を前記管理テーブルに記憶させ、指定された相手先の電話番号が前記管理テーブルに記憶されていると発呼時に判断した場合に前記網制御部に発呼を禁止させることを特徴とする。
【０００８】
そして、本発明は、回線を介して送出されてくる解除信号を検出する解除信号検出部を備え、前記制御部は、回線接続中に相手先から解除信号が送出されてきたことが前記解除信号検出部によって検出された場合に該相手先の電話番号を前記管理テーブルから消去させることを特徴とする。
【０００９】
また、本発明は、予め記憶された所定のメッセージを可視出力する表示部を備え、前記制御部は、前記網制御部に発呼を禁止させる場合にその旨を示すメッセージを前記表示部を介して出力させることを特徴とする。
【００１０】
また、本発明は、前記制御部は、相手先の電話番号を前記管理テーブルに記憶させる際にその電話番号の記憶の有効期限も前記管理テーブルに記憶させ、電話番号の有効期限が経過した場合に前記相手先の電話番号を前記管理テーブルから消去することを特徴とする。
【００１１】
【作用】
上記構成を有する本発明においては、発呼時に指定された相手先の電話番号が管理テーブルに記憶されているか否か判断し、指定された相手先の電話番号が管理テーブルに記憶されていると判断された場合には発呼が禁止される。
【００１２】
また、上記構成を有する本発明においては、着呼時に通信拒否キーが押下された場合に拒否信号送出部を介して拒否信号を相手先に送出されるので、オペレータは単にこの通信拒否キーを押下するだけで発呼側の管理テーブルに自局の電話番号が記憶される。
【００１３】
更に、上記構成を有する本発明においては、回線接続中に相手先から解除信号が送出されたことが検出された場合に該相手先の電話番号が管理テーブルから消去される。
【００１４】
そして、上記構成を有する本発明においては、指定された相手先の電話番号が管理テーブルに記憶されていると判断された場合には発呼を禁止すると共にその旨を示すメッセージが表示部を介して出力される。
【００１５】
また、上記構成を有する本発明においては、有効期限が経過した際には管理テーブルから記憶した電話番号が消去される。
【００１６】
【実施例】
以下、本発明の実施例に基づいて具体的に説明する。図１〜図４は本発明の実施例を示す図である。
図１は、本発明の実施例に係るファクシミリ装置のブロック構成図を示したものであり、ファクシミリ装置は、システム制御部１、ＲＯＭ２、ＲＡＭ３、操作表示部６、網制御部７、モデム８、符号／復号化部９、画像読取部１０、画像記録部１１を備えている。
【００１７】
システム制御部１は、ＣＰＵ（Ｃｅｎｔｒａｌ  Ｐｒｏｃｅｓｓｉｎｇ  Ｕｎｉｔ）等からなり、ＲＯＭ２に書き込まれたプログラムにしたがってファクシミリ装置本体の制御を行なうものである。
ＲＯＭ２には本実施例に係わる動作を実行するためのプログラム及び操作表示部４の表示器を介して出力する所定のメッセージが記憶されている。
ＲＡＭ３は、送受信される画情報を記憶するための画情報記憶部４と、発呼を禁止する相手先の電話番号とその有効期限を記憶する管理テーブル５とからなるものである。
尚、このＲＡＭ３は不揮発性のメモリで構成され、停電等により装置に電源が供給されなくなっても記憶された情報は保持される。
操作表示部６は、スタートキー、テンキー及び通信拒否を指示する通信拒否キー、通信拒否の解除を指示する解除キー等のファクシミリ装置を操作するために必要な各種操作キー、及び、各種モードの設定状態及び操作ガイダンス用のメッセージを表示する表示器からなるものである。
【００１８】
網制御部７は、回線Ｌに接続され発呼或いは着呼の際に所定の回線制御を実行するものである。
モデム８は、ファクシミリ通信時に伝送制御の手順信号を送受信すると共に、画情報を変復調して送受信するものである。更に、このモデム６は、相手先から送出されてくる通信拒否を示す拒否信号、通信拒否の解除を示す解除信号を検知すると共に、システム制御部１からの指令によりこれら拒否信号、解除信号を発生して回線Ｌに送出する機能を有する。
符号／復号化部９は、ＭＨ（Ｍｏｄｉｆｉｅｄ  Ｈｏｆｆｕｍａｎ  Ｃｏｄｉｎｇ）等の既知の符号化方式により、画像読取部１０で読み取った画情報を符号化してデータ圧縮する一方、網制御部７を介して受信した画情報を復号化して元の画情報に戻すものである。画像読取部１０は原稿の画情報を所定の解像度で読み取るものであり、画像記録部１１は画情報を所定の解像度で記録紙に記録するものである。
以上の構成で、システム制御部１、ＲＯＭ２、ＲＡＭ３、操作表示部６、網制御部７、モデム８、符号／復号化部９、画像読取部１０、画像記録部１１はバスライン１２を介してデータのやりとりを行なう。
【００１９】
次に、本発明の実施例に係るファクシミリ装置の送信動作を図２に示すフローチャートを用いて説明する。
まず、操作表示部６を介して発呼する相手先の電話番号が入力されると（ステップ１のＹｅｓ）、システム制御部１はその電話番号が管理テーブル５に記憶されているか否か、つまり、発呼禁止の電話番号であるか否か判断する（ステップ２）。
入力された電話番号が発呼禁止の電話番号として管理テーブル５に記憶されていると判断された場合には、発呼を実行することなくステップ３に進み、ＲＯＭ２に記憶されている所定のメッセージ、例えば、「通信／通話を拒否されている相手先です。」等のメッセージを操作表示部６を介して出力し送信動作を終了する。
【００２０】
一方、ステップ２で、入力された電話番号は管理テーブル５に記憶されていないと判断された場合には、網制御部７を介してこの電話番号を回線に送出し発呼を行なう（ステップ４）。その後、相手先の通信端末装置と回線が接続されると、オペレータの要求に基づいて通話或いは通信が開始される（ステップ５）。
ステップ６は、通話或いは通信が終了し回線が切断された否か判断するステップである。ここで、回線が切断されたと判断された場合には、発呼動作を終了し待機状態に戻る。
通話或いは通信中で回線が接続されているものと判断された場合には（ステップ６のＹｅｓ）、相手先の通信端末装置から通信拒否を示す拒否信号が受信されたか否かを判断する（ステップ７）。拒否信号は受信していないと判断された場合には、ステップ６に戻り通話／通信を継続させる。
回線から送出されてきた信号が拒否信号であるとモデム８で検知され、システム制御部１により拒否信号を受信したと判断された場合には、管理テーブル５に拒否信号と共に送出されてきたユーザＩＤ及び相手先の電話番号と、これらデータを有効として記憶しておくための有効期限を対応づけて記憶する（ステップ８）。尚、このユーザＩＤとは、装置に設定される４桁の番号であり、秘匿通信を行う場合等にも用いられる。
また、この有効期限は拒否信号を受けた時点から１週間（１６８時間）を基本とし、また、この値は操作表示部６を介して任意に設定／変更可能なものとする。
【００２１】
ステップ９は、相手先の通信端末装置から通信拒否の解除を示す解除信号を受信したか否かを判断するステップである。
ここで、回線から送出されてきた信号が解除信号であるとモデム８で検知され、システム制御部１により解除信号を受信したと判断された場合には、管理テーブル５に記憶した相手先の電話番号、ユーザＩＤ、及び、有効期限のデータを消去する（ステップ１０）。
次に、オペレータにより操作表示部６の解除キーが押下されたか否かが判断される（ステップ１１）。解除キーが押下されたと判断された場合には、モデム８を介して解除信号及びユーザＩＤを相手先の通信端末装置に送出し（ステップ１２）、その後、ステップ６に戻り通話／通信を継続させる。
【００２２】
次に、本発明の実施例に係るファクシミリ装置の受信動作を図３に示すフローチャートを用いて説明する。
回線からの着呼が検出され（ステップ２１のＹｅｓ）、相手先の通信端末装置と回線が接続されると（ステップ２２）、オペレータの要求に基づいて通話或いは通信が開始される（ステップ２３）。
ステップ２４は、通話或いは通信が終了し回線が切断された否か判断するステップである。ここで、回線が切断されたと判断された場合には、受信動作を終了し待機状態に戻る。
一方、通話或いは通信中で回線が接続されているものと判断された場合には（ステップ２４のＹｅｓ）、相手先の通信端末装置から受信拒否の解除を示す解除信号が受信されたか否かを判断する（ステップ２５）。解除信号を受信していないと判断された場合には、ステップ２４に戻り通話／通信を継続させる。
回線から送出されてきた信号が解除信号であるとモデム８で検知され、システム制御部１により解除信号を受信したと判断された場合には、解除信号と共に送出されてきたユーザＩＤをチェックし、このユーザＩＤと関連付けられて登録されている電話番号、有効期限をユーザＩＤと併せて管理テーブル５から消去する（ステップ２６）。
【００２３】
ステップ２７は、オペレータにより操作表示部６の通信拒否キーが押下されたか否かを判断するステップである。通信拒否キーは押下されてないと判断された場合には、ステップ２４に戻り通話／通信を継続させる。
一方、通信拒否キーが押下されたと判断された場合には、モデム８を介して拒否信号及びユーザＩＤを相手先の通信端末装置に送出させる（ステップ２８）。また、この際、システム制御部１は所定時間（本実施例では１５秒が設定されているものとする）を計時するタイマをスタートさせる。
ステップ２９は、オペレータにより操作表示部６の解除キーが押下されたか否かを判断するステップである。オペレータが間違って通信拒否キーを押下してしまい、その後、これを取り消させるための解除キーが押下された場合には、システム制御部１はモデム８を介して解除信号とユーザＩＤを相手先の通信端末装置に送出させる（ステップ３０）。
【００２４】
ステップ３１は、拒否信号とユーザＩＤの送出した直後にスタートさせたタイマがタイムオーバーとなったか否かを判断するステップである。ここでは、このタイマがタイムオーバーするまで解除キーの押下が監視される。
拒否信号の送出後、通信拒否を解除するための解除キーが押下されることなく所定時間が経過した場合には（ステップ３１のＹｅｓ）、システム制御部１は網制御部７を介して強制的に回線を切断して受信動作を終了する。
【００２５】
次に、本発明の実施例に係るファクシミリ装置の管理テーブルによる管理動作を図４に示すフローチャートを用いて説明する。
尚、この管理動作は、装置が待機状態にあることを条件として所定のタイミングで繰り返し起動されるものである。
まず、システム制御部１は管理テーブル５にデータ（電話番号、ユーザＩＤ、有効期限）が記憶されているか否かチェックし、データが記憶されている場合には、記憶した順が古いものから読み出しを行なう（ステップ４１）。
次に、読み出したデータの中から有効期限のデータを抽出し、これを現在の年月日及び時刻と比較し、有効期限が経過したか否かを判断する（ステップ４２）。  ここで、データの有効期限は未経過であると判断された場合には、管理動作を終了し待機状態に戻る。
一方、抽出した有効期限は既に経過していると判断された場合には、それらデータを管理テーブル５から消去させる（ステップ４３）。
データの消去が終了すると、システム制御部１は、再度、管理テーブル５をチェックし、他に記憶したデータがあるか否か確認する。
管理テーブルに他に記憶したデータがあることが確認された場合にはステップ４２に戻り再度そのデータの有効期限をチェックする。
他に記憶したデータは無く全データの確認が終了した場合には、管理動作を終了して待機状態に戻る。
【００２６】
尚、上述した実施例では、通信拒否キー及び解除キーを別々に設けた構成として説明したが、１つのキーで併用させるよう構成することも可能であり、更に、ストップキーで併用させることも容易である。
また、通信拒否を解除できる時間を１５秒としたが、これを操作表示部６からの入力により変更するように構成すれば、更に操作性が向上することは云うまでもない。
【００２７】
【発明の効果】
以上のように、本発明の構成によれば、発呼時に指定された相手先の電話番号が管理テーブルに記憶されているか否か判断し、指定された相手先の電話番号が管理テーブルに記憶されていると判断された場合には発呼が禁止されるので、「いたずら電話」「無言電話」「商品の勧誘」等の迷惑電話を行なう相手先に対してはその発呼自体を禁止させることができ、回線がこのような無駄な着呼によって占有されることがなくなる。
【００２８】
また、着呼時に通信拒否キーが押下された場合に拒否信号送出部を介して拒否信号を相手先に送出されるので、オペレータは単にこの通信拒否キーを押下するだけで発呼側の管理テーブルに自局の電話番号が記憶されるので、一々マニュアル操作で登録するような煩わしさがなくなる。
【００２９】
更に、回線接続中に相手先から解除信号が送出されたことが検出された場合に該相手先の電話番号を管理テーブルから消去させているため、誤って通信拒否キーを押下してしまった場合にでも、その訂正が容易に実行できる。
【００３０】
そして、指定された相手先の電話番号が管理テーブルに記憶されていると判断された場合には発呼を禁止すると共にその旨を示すメッセージを表示部を介して出力しているため、発呼が実行されなかった場合のその原因をオペレータが容易に認識することができる。
【００３１】
そして更に、有効期限が経過した際には管理テーブルから記憶した電話番号を消去するため、管理テーブルのためのメモリ量を必要最低限に押さえることができると共に、装置を使用するオペレータが変わった際に無駄にデータを記憶保持し続けることがなくなる。
【図面の簡単な説明】
【図１】本発明の実施例に係るファクシミリ装置のブロック構成図である。
【図２】本発明の実施例に係るファクシミリ装置の送信動作を示すフローチャートである。
【図３】本発明の実施例に係るファクシミリ装置の受信動作を示すフローチャートである。
【図４】本発明の実施例に係るファクシミリ装置の管理テーブルによる管理動作を示すフローチャートである。
【符号の説明】
１…システム制御部、  ２…ＲＯＭ、  ３…ＲＡＭ、  ４…画情報記憶部
５…管理テーブル、  ６…操作表示部、  ７…網制御部、  ８…モデム
９…符号／復号化部、  １０…画像読取部、  １１…画像記録部
１２…バスライン
【図１】
0003573840.tif 000002
【図２】
0003573840.tif 000003
【図３】
0003573840.tif 000004
【図４】
0003573840.tif 000005